(57)【要約】【課題】本発明は、コンパクトに折り畳むことのできるバスドラム用リフター及びバスドラム用リフターを備えたバスドラムを提供することにある。【解決手段】バスドラム用リフター２０は、ドラム接続部材２３と、リフトアップ部２６を含むペダル接続部材２２と、ペダル接続部材２２とドラム接続部材２３とを回動可能に連結する長ねじ２５とを備えている。ペダル接続部材２２は、長ねじ２５の軸線を中心に、バスドラム１０のシェル１１近傍である収納位置と、リフトアップ部２６によりバスドラム１０をリフトアップする使用位置との間で回動可能である。長ねじ２５は、シェル１１近傍であって打面ヘッド１５近傍に配置されている。【選択図】図１
2014071196.tif 000002
【特許請求の範囲】
【請求項１】
バスドラムの打面ヘッド付近とペダル装置とに接続され、前記バスドラムの打面ヘッド付近をリフトアップするバスドラム用リフターであって、
前記バスドラムに接続されるドラム接続部材と、
前記バスドラムをリフトアップするリフトアップ部を含むペダル接続部材と、
前記ペダル接続部材と前記ドラム接続部材とを回動可能に連結する軸とを備え、
前記ペダル接続部材は、前記軸を中心に、前記バスドラムのシェル近傍である収納位置と、前記リフトアップ部により前記バスドラムをリフトアップする使用位置との間で回動可能であり、
前記軸は、前記シェル近傍であって前記打面ヘッド近傍に配置されていることを特徴とするバスドラム用リフター。
【請求項２】
請求項１記載のバスドラム用リフターにおいて、
前記シェルの開口端には、前記打面ヘッドと共にフープが装着され、
前記軸は、前記シェルの軸線方向において前記フープと重なる位置に配置されていることを特徴とするバスドラム用リフター。
【請求項３】
請求項２記載のバスドラム用リフターにおいて、
前記ペダル接続部材を前記使用位置に配置した状態で、前記ペダル接続部材の端面を、前記ペダル装置に面する前記フープの端面と同一面上に配置可能としたことを特徴とするバスドラム用リフター。
【請求項４】
請求項１〜３のうちいずれか一項に記載のバスドラム用リフターにおいて、
前記ペダル接続部材は、前記ペダル装置に接続されるペダル接続部と、前記リフトアップ部に対して前記ペダル接続部と反対側に突出部とを備えていることを特徴とするバスドラム用リフター。
【請求項５】
請求項４記載のバスドラム用リフターにおいて、
前記突出部には、切欠が設けられ、前記ペダル接続部材を収納位置に配置したときに前記ドラム接続部材の一部が前記切欠内に配置されることを特徴とするバスドラム用リフター。
【請求項６】
請求項１〜５のうちいずれか一項に記載のバスドラム用リフターにおいて、
前記リフトアップ部と前記ドラム接続部材との連結部には、前記ペダル接続部材が使用位置を越えて回動することを規制する回動規制手段が設けられ、
前記回動規制手段は、前記ドラム接続部材に前記リフトアップ部を当接させることで、前記ペダル接続部材の回動を規制することを特徴とするバスドラム用リフター。
【請求項７】
請求項１〜６のうちいずれか一項に記載のバスドラム用リフターにおいて、
前記ドラム接続部材は、前記バスドラムに固定されるベースと、前記リフトアップ部に連結されると共に前記ベースを前後方向へ移動可能に支持するリテーナとを備え、前記ベースに対し前記リテーナを移動させることで、前記バスドラムに対する前記ペダル装置の位置が変更可能であることを特徴とするバスドラム用リフター。
【請求項８】
請求項７記載のバスドラム用リフターにおいて、
前記リテーナは、前記ベースに対して着脱可能であることを特徴とするバスドラム用リフター。
【請求項９】
バスドラムの打面ヘッド付近とペダル装置とに接続され、前記バスドラムの打面ヘッド付近をリフトアップするバスドラム用リフターであって、
前記バスドラムに接続されるドラム接続部材と、
前記バスドラムをリフトアップするリフトアップ部を含むペダル接続部材とを備え、
前記ペダル接続部材は、前記ドラム接続部材を移動可能に支持すると共に、前記ドラム接続部材に対し着脱可能であることを特徴とするバスドラム用リフター。
【請求項１０】
バスドラムの打面ヘッド付近をリフトアップするバスドラム用リフターを備えたバスドラムであって、前記バスドラム用リフターは前記バスドラムの打面ヘッド付近とペダル装置とに接続されて使用されるバスドラムであって、前記バスドラム用リフターは、
前記バスドラムに接続されるドラム接続部材と、
前記バスドラムをリフトアップするリフトアップ部を含むペダル接続部材と、
前記ペダル接続部材のリフトアップ部と前記ドラム接続部材とを回動可能に連結する軸とを備え、
前記ペダル接続部材は、前記軸を中心に、前記バスドラムのシェル近傍である収納位置と、前記リフトアップ部により前記バスドラムをリフトアップする使用位置との間で回動可能であり、
前記軸は、前記シェル近傍であって前記打面ヘッド近傍に配置されていることを特徴とするバスドラム。
【発明の詳細な説明】
【技術分野】
【０００１】
本発明は、バスドラムの打面ヘッド付近をリフトアップするために用いられるバスドラム用リフター、及びバスドラム用リフターを備えたバスドラムに関する。
【背景技術】
【０００２】
一般に、小口径バスドラムは、打面ヘッドの中心をビータが叩打するように、バスドラムの打面ヘッド付近をリフトアップして演奏される。この場合、バスドラムの打面ヘッド付近をリフトアップするための器具として、バスドラム用リフターが使用される。バスドラム用リフターの具体例として、例えば、特許文献１，２に開示されるようなものが提案されている。
【０００３】
特許文献１に開示のバスドラム用リフター１００は、図８に示すように、バスドラムのシェルＳに接続されるリテーナ１０１と、ペダル装置Ｐに接続されるベース１０２と、リテーナ１０１及びベース１０２を回動可能に連結するシャフト１０３とを備えている。この文献に開示のバスドラム用リフター１００は、ベース１０２を床面Ｆ上に配置すると共にベース１０２の先端をペダル装置Ｐに接続して使用される。一方、バスドラム用リフター１００の非使用時には、図８の二点鎖線で示すように、バスドラム用リフター１００からペダル装置Ｐを取り外した後、ベース１０２をシャフト１０３の軸線周りに回動させて、シェルＳ近傍の収納位置に配置する。
【０００４】
また、特許文献２に開示のバスドラム用リフター１１０は、図９に示すように、シェルＳに接続されるヒンジ１１１と、ヒンジ１１１の金属片に固定される脚１１２と、脚１１２の下端に設けられるベース１１３とを備えている。この文献に開示のバスドラム用リフター１１０は、脚１１２をヒンジ軸１１１ａの軸線周りに回動させることにより、図９の二点鎖線で示す使用時の形態と、図９の実線で示す非使用時の形態とを取り得る。
【０００５】
特許文献１，２に開示のバスドラム用リフター１００，１１０は、ベース１０２や脚１１２を収納位置に配置することで、コンパクトに折り畳まれる。バスドラム用リフター１００，１１０は折り畳まれた状態で、バスドラムに取り付けられたまま保管されたり、持ち運ばれたりする。
【先行技術文献】
【特許文献】
【０００６】
【特許文献１】特開２００６−０４７９７６号公報
【特許文献２】米国特許第２５６３３４６号明細書
【発明の概要】
【０００７】
しかしながら、特許文献１，２に開示のバスドラム用リフター１００，１１０には、以下のような問題がある。特許文献１に開示のバスドラム用リフター１００の場合、リテーナ１０１は、シェルＳの外周面に固定される載置部１０１ａと、載置部１０１ａの両側部のそれぞれから下方に突出する一対の接続部１０１ｂとを備えている。シャフト１０３は、両接続部１０１ｂの下端付近に取り付けられている。このため、図８の二点鎖線で示すように、ベース１０２が収納位置に配置されても、ベース１０２は接続部１０１の下端付近を中心に回動するだけであり、バスドラム用リフター１００の上下方向の寸法はそれほど小さくならない。よって、バスドラム用リフター１００をコンパクトに折り畳むことができない。
【０００８】
また、特許文献２に開示のバスドラム用リフター１１０の場合、ヒンジ軸１１１ａは、打面ヘッドＤＨから後方に離れて配置されている。上記構成によれば、脚１１２を使用位置に配置したときのベース１１３の前後方向の寸法は、ペダル装置Ｐとの連結位置及びヒンジ軸１１１ａ間の距離ｄに基づいて長めに設定されている。このため、図９の実線で示すように、脚１１２が収納位置に配置されても、ベース１１３の寸法が長いために、バスドラム用リフター１１０の上下方向の寸法はそれほど小さくならない。よって、特許文献１に開示の構成と同様に、バスドラム用リフター１１０をコンパクトに折り畳むことができない。
【発明が解決しようとする課題】
【０００９】
本発明の目的は、コンパクトに折り畳むことのできるバスドラム用リフター及びバスドラム用リフターを備えたバスドラムを提供することにある。
【課題を解決するための手段】
【００１０】
上記の目的を達成するために、請求項１に記載の発明は、バスドラムの打面ヘッド付近とペダル装置とに接続され、バスドラムの打面ヘッド付近をリフトアップするバスドラム用リフターであって、バスドラムに接続されるドラム接続部材と、バスドラムをリフトアップするリフトアップ部を含むペダル接続部材と、ペダル接続部材とドラム接続部材とを回動可能に連結する軸とを備え、ペダル接続部材は、軸を中心に、バスドラムのシェル近傍である収納位置と、リフトアップ部によりバスドラムをリフトアップする使用位置との間で回動可能であり、軸は、シェル近傍であって打面ヘッド近傍に配置されていることを要旨とする。
【００１１】
この構成によれば、ペダル接続部材が軸周りに回動すると共に、ペダル接続部材の回動中心がバスドラムのシェル近傍であって打面ヘッド近傍に配置されている。この場合、ペダル接続部材がバスドラムのシェル近傍を中心に回動することにより、バスドラム用リフターを、その上下方向の寸法を小さくしてコンパクトに折り畳むことができる。また、ペダル接続部材の回動中心を打面ヘッド近傍に配置することにより、ペダル接続部材を使用位置に配置したときの前後方向の寸法を小さくすることもできる。これにより、ペダル接続部材を収納位置に配置したときの上下方向の寸法が小さく抑えられる。これにより、バスドラム用リフターが折り畳まれたときの上下方向の寸法を更に小さくすることができる。
【００１２】
請求項２に記載の発明は、請求項１記載の発明において、シェルの開口端には、打面ヘッドと共にフープが装着され、軸は、シェルの軸線方向においてフープと重なる位置に配置されていることを要旨とする。
【００１３】
この構成によれば、軸をシェルの軸線方向においてフープと重なる位置に配置することにより、ペダル接続部の回動中心を打面ヘッド近傍に配置することができる。これにより、ペダル接続部材を使用位置に配置したときの前後方向の寸法を、より小さくすることができる。よって、バスドラム用リフターが折り畳まれたときの上下方向の寸法を、より小さくすることができる。
【００１４】
請求項３に記載の発明は、請求項２記載の発明において、ペダル接続部材を使用位置に配置した状態で、ペダル接続部材の端面を、ペダル装置に面するフープの端面と同一面上に配置可能としたことを要旨とする。
【００１５】
この構成によれば、ペダル接続部材の端面をフープの端面と同一面上に配置することにより、ペダル接続部材を使用位置に配置したときの前後方向の寸法を、より一層小さくすることができる。よって、バスドラム用リフターが折り畳まれたときの上下方向の寸法を、より一層小さくすることができる。
【００１６】
請求項４に記載の発明は、請求項１〜３のうちいずれか一項に記載の発明において、ペダル接続部材は、ペダル装置に接続されるペダル接続部と、リフトアップ部に対してペダル接続部と反対側に突出部とを備えていることを要旨とする。
【００１７】
この構成によれば、例えば、ペダル接続部材にペダル装置を接続する場合、突出部が床面に当接されるため、バスドラム用リフターを倒れ難くすることができる。これにより、ペダル接続部材を使用位置に保持し易くなるため、バスドラム用リフターにペダル装置を接続するための作業が容易に行える。
【００１８】
請求項５に記載の発明は、請求項４記載の発明において、突出部には、切欠が設けられ、ペダル接続部材を収納位置に配置したときにドラム接続部材の一部が切欠内に配置されることを要旨とする。
【００１９】
この構成によれば、ペダル接続部材を収納位置に配置したとき、ドラム接続部材の一部を突出部の切欠内に配置することができる。これにより、ペダル接続部材とドラム接続部材とを干渉させることなく、バスドラム用リフターを、より一層コンパクトに折り畳むことができる。
【００２０】
請求項６に記載の発明は、請求項１〜５のうちいずれか一項に記載の発明において、リフトアップ部とドラム接続部材との連結部には、ペダル接続部材が使用位置を越えて回動することを規制する回動規制手段が設けられ、回動規制手段は、ドラム接続部材にリフトアップ部を当接させることで、ペダル接続部材の回動を規制することを要旨とする。
【００２１】
この構成によれば、例えば、バスドラムを演奏する場合、ドラム接続部材の端面にリフトアップ部が当接されてペダル接続部材の回動が規制されることで、バスドラム用リフターを倒れ難くすることができる。これにより、バスドラム用リフターによってリフトアップされたバスドラムの姿勢を安定化させることができる。
【００２２】
請求項７に記載の発明は、請求項１〜６のうちいずれか一項に記載の発明において、ドラム接続部材は、バスドラムに固定されるベースと、リフトアップ部に連結されると共にベースを前後方向へ移動可能に支持するリテーナとを備え、ベースに対しリテーナを移動させることで、バスドラムに対するペダル装置の位置が変更可能であることを要旨とする。
【００２３】
この構成によれば、演奏者は、ベースに対しリテーナを移動させることで、バスドラムに対するペダル装置の位置を変更することができる。よって、バスドラムのサイズや演奏者の好みに応じて、バスドラムに対するペダル装置の位置を自由に調節することができる。
【００２４】
請求項８に記載の発明は、請求項７に記載の発明において、リテーナは、ベースに対して着脱可能であることを要旨とする。
この構成によれば、リテーナをペダル接続部材と共にベースから取り外すことができる。これにより、バスドラムの打面ヘッド付近をリフトアップしないで、バスドラムのフープ等にペダル装置を連結することもできる。よって、バスドラムのサイズや演奏者の好みに応じて、バスドラム用リフターの使い方のバリエーションを広げることができる。
【００２５】
請求項９に記載の発明は、バスドラムの打面ヘッド付近とペダル装置とに接続され、バスドラムの打面ヘッド付近をリフトアップするバスドラム用リフターであって、バスドラムに接続されるドラム接続部材と、バスドラムをリフトアップするリフトアップ部を含むペダル接続部材とを備え、ペダル接続部材は、ドラム接続部材を移動可能に支持すると共に、ドラム接続部材に対し着脱可能であることを要旨とする。
【００２６】
軸により折り畳み可能なバスドラム用リフター以外の構成として、請求項９に記載のバスドラム用リフターを採用することができる。この構成によれば、バスドラムの打面ヘッド付近をリフトアップする量が小さい場合に適用することができる。
【００２７】
請求項１０に記載の発明は、バスドラムの打面ヘッド付近をリフトアップするバスドラム用リフターを備えたバスドラムであって、バスドラム用リフターはバスドラムの打面ヘッド付近とペダル装置とに接続されて使用されるバスドラムであって、バスドラム用リフターは、バスドラムに接続されるドラム接続部材と、バスドラムをリフトアップするリフトアップ部を含むペダル接続部材と、ペダル接続部材のリフトアップ部とドラム接続部材とを回動可能に連結する軸とを備え、ペダル接続部材は、軸を中心に、バスドラムのシェル近傍である収納位置と、リフトアップ部によりバスドラムをリフトアップする使用位置との間で回動可能であり、軸は、シェル近傍であって打面ヘッド近傍に配置されていることを要旨とする。
【００２８】
この構成によれば、請求項１に記載の発明と同等の作用効果を奏することができる。
【発明の効果】
【００２９】
本発明によれば、コンパクトに折り畳むことのできるバスドラム用リフター及びバスドラム用リフターを備えたバスドラムを提供することができる。
【図面の簡単な説明】
【００３０】
【図１】本発明の一実施形態に係るバスドラム用リフターを用いてバスドラムをリフトアップした状態を示す側面図。
【図２】バスドラム用リフターの斜視図。
【図３】バスドラム用リフターの分解斜視図。
【図４】バスドラム用リフターのペダル接続部材とペダル装置との接続部分を拡大して示す部分側面図。
【図５】ペダル接続部材の切欠内にドラム接続装置の一部が配置された状態を示す部分正面図。
【図６】別例のバスドラム用リフターを示す斜視図。
【図７】別例のバスドラム用リフターを示す斜視図。
【図８】従来のバスドラム用リフターを用いてバスドラムをリフトアップした状態を示す部分側面図。
【図９】従来のバスドラム用リフターであって非使用時の形態を示す部分側面図。
【発明を実施するための形態】
【００３１】
以下、本発明に係るバスドラム用リフターを具体化した一実施形態について、図１〜図５を参照して説明する。尚、バスドラム用リフターを説明するに際し、縦方向及び横方向を、図２に示すようにそれぞれ定義する。
【００３２】
図１に示すように、バスドラム１０は、円筒状のシェル１１と、シェル１１の両開口端を塞ぐ一対のドラムヘッドと、シェル１１の開口端に対しドラムヘッドと共に装着される一対のフープ１２と、シェル１１の外周面に取着された一対のスパイク付脚１３及びバスドラム用リフター２０とを備えている。スパイク付脚１３は、一対のドラムヘッドのうちのフロントヘッド１４付近に配置されている。バスドラム用リフター２０は、一対のドラムヘッドのうちの打面ヘッド１５付近に配置されている。バスドラム１０は、通常のバスドラムよりも口径の小さい小口径のバスドラムである。バスドラム１０は、フロントヘッド１４付近をスパイク付脚１３によりリフトアップし、打面ヘッド１５付近をバスドラム用リフター２０によりリフトアップした状態で、床面Ｆ上に設置されている。バスドラム用リフター２０は、バスドラム１０及びペダル装置Ｐに接続された状態で使用される。
【００３３】
バスドラム用リフター２０は、ペダル接続部材２２、ドラム接続部材２３、及び軸としての長ねじ２５を備えている。ペダル接続部材２２は、ペダル装置Ｐのクランプにより挟持されて、ペダル装置Ｐの前部に接続される。ドラム接続部材２３は、シェル１１の外周面に対して下方から接続される。長ねじ２５は、ペダル接続部材２２とドラム接続部材２３とを回動可能に連結するための軸として機能する。
【００３４】
図２及び図３に示すように、ペダル接続部材２２は、バスドラム１０をリフトアップするリフトアップ部２６と、ペダル装置Ｐに接続されるペダル接続部２７と、床面Ｆに当接される突出部２８とを備えている。ペダル接続部材２２は、金属製の板材を所定の形状に打ち抜いた後、中央部分を残りの部分に対して直角に折り曲げることにより形成されている。
【００３５】
リフトアップ部２６の両側端のそれぞれには、ドラム接続部材２３に連結される連結片２９が一つずつ設けられている。各連結片２９は、リフトアップ部２６の両側端を直角に折り曲げて形成されている。各連結片２９の中央には、長ねじ２５が挿通される孔２９ａが形成されている。ペダル接続部２７には、横方向に延びる凸部２７ａが形成されている。凸部２７ａは、ペダル装置Ｐのクランプにより挟持される際に平板状のペダル接続部２７を補強する。また、凸部２７ａを含むペダル接続部２７の厚さは、打面ヘッド１５付近をリフトアップしないときクランプにより把持されるフープ１２と同じ厚さに設定されている。
【００３６】
突出部２８は、ペダル接続部２７の両側縁から突出する部分からなる。突出部２８は、リフトアップ部２６に対してペダル接続部２７と反対側に突出している。突出部２８には、リフトアップ部２６よりも少し幅の広い長方形状の切欠２８ａが形成されている。切欠２８ａは、金属製の板材の中央部分を直角に折り曲げることで残りの部分に形成された凹部からなる。
【００３７】
ドラム接続部材２３は、複数の部品を組み付けて構成されている。即ち、ドラム接続部材２３は、リフトアップ部２６に連結されるリテーナ３０と、リテーナ３０上に配置されるベース３３と、バックプレート３４及びナットプレート３５とから構成されている。リテーナ３０は、縦方向に延びると共に、略Ｕ字状の断面を有している。リテーナ３０の両側端のそれぞれには、ペダル接続部材２２に連結される連結片３１が一つずつ設けられている。各連結片３１の中央には、長ねじ２５が挿通される孔３１ａが形成されている。リテーナ３０の中央には、縦方向に沿って延びる長孔３０ａが形成されている。
【００３８】
リテーナ３０上には、ベース３３が、長孔３０ａに沿って摺動可能に支持されている。ベース３３は、横方向に延びると共に、略Ｕ字状の断面を有している。ベース３３は、リテーナ３０の上面に配置される中央部と、シェル１１に固定される一対の固定部３７とを備えている。中央部は、リテーナ３０の長孔３０ａと対応する位置に一対の挿通孔３６ａを有している。各固定部３７には、ゴム製の緩衝カバー４３が、固定部３７のシェル１１に対向する面を覆うように取り付けられている。固定部３７及び緩衝カバー４３の各中央には、挿通孔３７ａ，４３ａがそれぞれ形成されている。
【００３９】
図３及び図５に示すように、バックプレート３４は、横方向に延びると共に、シェル１１の内周面に沿って湾曲している。バックプレート３４は、固定部３７の挿通孔３７ａと対応する位置に一対の挿通孔３４ａを有している。バックプレート３４は、緩衝カバー４３との間にシェル１１を挟持するようにしてシェル１１の内周面に配置される。バスドラム用リフター２０をシェル１１に固定するため、一対の固定ネジ３８が、シェル１１の外側から、ベース３３、緩衝カバー４３及びバックプレート３４の各挿通孔３７ａ，４３ａ，３４ａに挿通される。両固定ネジ３８の先端にナット３９が締め付けられることで、バスドラム用リフター２０がシェル１１に固定される。
【００４０】
ナットプレート３５は、縦方向に延びる長方形状に形成されている。ナットプレート３５は、ベース３３の挿通孔３６ａと対応する位置に一対のネジ孔３５ａを有している。両ネジ孔３５ａには、一対のボルト４０が、リテーナ３０の裏面側から螺着されている。即ち、ボルト４０は、リテーナ３０の長孔３０ａ及びベース３３の挿通孔を通過してネジ孔３５ａに螺着されている。ネジ孔３５ａに螺着されたボルト４０を緩めることで、ベース３３がリテーナ３０の長孔３０ａに沿って摺動可能となる。この場合、バスドラム１０に固定されたベース３３に対しリテーナ３０を摺動させることで、バスドラム１０に対するペダル装置Ｐの位置が変更される。一方、ネジ孔３５ａに螺着されたボルト４０を締め付けることで、ベース３３がリテーナ３０の長孔３０ａに固定されて、バスドラム１０に対するペダル装置Ｐの位置が固定される。
【００４１】
長ねじ２５は、リテーナ３０の両連結片３１をリフトアップ部２６の両連結片２９間に配置した状態で、両連結片３１，２９の孔３１ａ，２９ａを貫通するように配置されている。長ねじ２５の先端には、六角ナット４１が螺着されている。また、連結片２９と連結片３１との間には、樹脂製のフランジ付カラー４２がそれぞれ一つずつ装着されている。長ねじ２５は、六角ナット４１に対し一定のトルクで締め付けられている。これにより、両連結片２９，３１間でフランジ付カラー４２が押し潰されて、ドラム接続部材２３に対するペダル接続部材２２の連結トルクが所定の大きさに維持されている。尚、長ねじ２５の締付トルク、即ちペダル接続部材２２の連結トルクは、ドラム接続部材２３に対してペダル接続部材２２が勝手に開かずかつ使用者が無理なくペダル接続部材２２を回動操作できる大きさに設定されている。
【００４２】
図１に示すように、バスドラム用リフター２０をバスドラム１０に接続した状態で、ペダル接続部材２２は、バスドラム１０のシェル１１近傍である収納位置と、リフトアップ部２６によりバスドラム１０をリフトアップする使用位置との間を回動可能である。図２及び図３に示すように、リフトアップ部２６とドラム接続部材２３との連結部には、ペダル接続部材２２が使用位置を越えて回動することを規制する回動規制手段４５が設けられている。回動規制手段４５は、リテーナ３０の端面３０ｂにリフトアップ部２６の裏面２６ａを当接させることでペダル接続部材２２の回動を規制する。即ち、回動規制手段４５は、ペダル接続部材２２がドラム接続部材２３に対して略直角に開いた状態よりも更に開くことを規制する。
【００４３】
また、リテーナ３０は、ベース３３に対して着脱可能である。具体的には、両ボルト４０をナットプレート３５から抜き出すことで、リテーナ３０がペダル接続部材２２と共にベース３３から取り外される。これとは逆に、両ボルト４０をナットプレート３５のネジ孔３５ａに締め付けることで、リテーナ３０がペダル接続部材２２と共にベース３３に取り付けられる。
【００４４】
上述したように、長ねじ２５の軸線は、ペダル接続部材２２がドラム接続部材２３に対し回動するときの回動中心に一致する。本実施形態によれば、バスドラム用リフター２０をコンパクトに折り畳むことができるように、ペダル接続部材２２の回動中心、即ち、長ねじ２５の位置が以下のように設定されている。
【００４５】
図４に示すように、長ねじ２５は、シェル１１近傍であって打面ヘッド１５近傍に配置されている。長ねじ２５は、シェル１１の軸線方向においてフープ１２と重なる位置に配置されている。また、ペダル接続部材２２を使用位置に配置した状態で、ペダル接続部材２２の端面２２ａは、ペダル装置Ｐに面するフープ１２の端面１２ａと同一面上に配置可能となっている。
【００４６】
ペダル接続部材２２の端面２２ａをフープ１２の端面１２ａと同一面上に配置可能とするため、リテーナ３０の裏面には、マークが刻印されている。マークは、長孔３０ａと直交する線分からなり、一対のボルト４０に対応して２箇所設けられている。バスドラム用リフター２０をペダル装置Ｐに接続する際、まず、両ボルト４０を対応するマークに一致させてから、ネジ孔３５ａに締め付ける。これにより、ベース３３に対して、リテーナ３０が初期位置に固定される。この状態でペダル接続部材２２を使用位置に配置してペダル装置Ｐに接続すれば、ペダル接続部材２２の端面２２ａが、フープ１２の端面１２ａと同一面上に配置される。尚、ネジ孔３５ａに螺着されたボルト４０を緩めることで、ベース３３に対してリテーナ３０が摺動可能となり、ペダル装置Ｐの前後方向の位置が変更可能となる。
【００４７】
次に、上記のバスドラム用リフター２０の作用を説明する。
図１に示すように、バスドラム用リフター２０は、ペダル接続部材２２を長ねじ２５の軸線周りに回動させることにより、二点鎖線で示す非使用時の形態と、実線で示す使用時の形態とを取り得る。バスドラム用リフター２０の使用時には、まず、ドラム接続部材２３に対してペダル接続部材２２を開く。そして、ペダル接続部材２２を使用位置に固定し、バスドラム用リフター２０にペダル装置Ｐを接続する。一方、バスドラム用リフター２０の非使用時には、まず、バスドラム用リフター２０からペダル装置Ｐを取り外す。次に、ドラム接続部材２３に対してペダル接続部材２２を閉じる。そして、ペダル接続部材２２を収納位置に固定する。こうして、バスドラム用リフター２０は、バスドラムに取り付けられたまま折り畳まれて保管されたり、持ち運ばれたりする。
【００４８】
この場合、図４に示すように、ペダル接続部材２２がシェル１１近傍を中心に回動するため、バスドラム用リフター２０を、その上下方向の寸法ｈを小さくしてコンパクトに折り畳むことができる。また、ペダル接続部材２２の回動中心を打面ヘッド１５近傍に配置したため、ペダル接続部材２２を使用位置に配置したときの前後方向の寸法ｄを小さくすることもできる。この場合、ペダル接続部材２２を収納位置に配置したときの上下方向の寸法ｈが小さく抑えられる。これにより、バスドラム用リフター２０が折り畳まれたときの上下方向の寸法ｈを更に小さくすることができる。また、この場合、図５に示すように、ペダル接続部材２２を収納位置に配置したときには、ドラム接続部材２３を構成するリテーナ３０の全体が、ペダル接続部材２２の切欠２８ａ内に配置される。これにより、ペダル接続部材２２とドラム接続部材２３とを干渉させることなく、バスドラム用リフター２０を、より一層コンパクトに折り畳むことができる。
【００４９】
従って、本実施形態によれば、以下のような効果を得ることができる。
（１）長ねじ２５は、シェル１１近傍であって打面ヘッド１５近傍に配置されている。この構成によれば、ペダル接続部材２２が、シェル１１近傍を中心に回動する。これにより、バスドラム用リフター２０を、その上下方向の寸法ｈを小さくしてコンパクトに折り畳むことができる。また、ペダル接続部材２２の回動中心を打面ヘッド１５近傍に配置することにより、ペダル接続部材２２を使用位置に配置したときの前後方向の寸法ｄを小さくすることもできる。この場合、ペダル接続部材２２を収納位置に配置したときの上下方向の寸法ｈが小さく抑えられる。これにより、バスドラム用リフター２０が折り畳まれたときの上下方向の寸法ｈを更に小さくすることができる。
【００５０】
（２）長ねじ２５は、シェル１１の軸線方向においてフープ１２と重なる位置に配置されている。この構成によれば、ペダル接続部２７の回動中心を打面ヘッド１５近傍に配置することができる。これにより、ペダル接続部材２２を使用位置に配置したときの前後方向の寸法ｄを、より小さくすることができる。よって、バスドラム用リフター２０が折り畳まれたときの上下方向の寸法ｈを、より小さくすることができる。
【００５１】
（３）ペダル接続部材２２を使用位置に配置した状態で、ペダル接続部材２２の端面２２ａは、ペダル装置Ｐに面するフープ１２の端面１２ａと同一面上に配置可能となっている。この構成によれば、ペダル接続部材２２を使用位置に配置したときの前後方向の寸法ｄを、より一層小さくすることができる。よって、バスドラム用リフター２０が折り畳まれたときの上下方向の寸法ｈを、より一層小さくすることができる。
【００５２】
また、ペダル接続部材２２の端面２２ａがフープ１２の端面１２ａと同一面上に配置されることで、打面ヘッド１５付近をリフトアップしないときもリフトアップするときも、ペダル装置Ｐの前後方向の位置が同じになる。これにより、打面ヘッド１５付近をリフトアップしないときもリフトアップするときも、打面ヘッド１５を叩打するときのビータの角度を同じにすることができる。このため、演奏者は、大口径のバスドラムのときと同じ感覚で、小口径のバスドラム１０を演奏することができる。
【００５３】
（４）ペダル接続部材２２は、床面Ｆに当接される突出部２８を備えている。突出部２８は、リフトアップ部２６に対してペダル接続部２７と反対側に突出している。この構成によれば、例えば、ペダル接続部材２２にペダル装置Ｐを接続する場合、突出部２８が床面Ｆに当接されることによって、バスドラム用リフター２０を倒れ難くすることができる。これにより、ペダル接続部材２２を使用位置に保持し易くなるため、バスドラム用リフター２０にペダル装置Ｐを接続するための作業が容易に行える。
【００５４】
（５）突出部２８には、リフトアップ部２６よりも少し幅の広い長方形状の切欠２８ａが形成されている。この構成によれば、ペダル接続部材２２を収納位置に配置したとき、ドラム接続部材２３を構成するリテーナ３０の全体を切欠２８ａ内に配置することができる。これにより、ペダル接続部材２２とドラム接続部材２３とを干渉させることなく、バスドラム用リフター２０を、より一層コンパクトに折り畳むことができる。
【００５５】
（６）リフトアップ部２６とドラム接続部材２３との連結部には、ペダル接続部材２２が使用位置を越えて回動することを規制する回動規制手段４５が設けられている。この構成によれば、例えば、バスドラム１０を演奏する場合、リテーナ３０の端面３０ｂにリフトアップ部２６の裏面２６ａを当接させることで、ペダル接続部材２２の回動を規制することができる。これより、バスドラム用リフター２０が倒れ難くなるため、バスドラム用リフター２０によってリフトアップされたバスドラム１０の姿勢を安定化させることができる。
【００５６】
（７）ドラム接続部材２３は、リフトアップ部２６に連結されるリテーナ３０と、リテーナ３０上に配置されるベース３３を備えている。リテーナ３０上には、ベース３３が、長孔３０ａに沿って摺動可能に支持されている。この構成によれば、演奏者は、ベース３３に対しリテーナ３０を摺動させることで、バスドラム１０に対するペダル装置Ｐの位置を変更することができる。よって、バスドラム１０のサイズや演奏者の好みに応じて、バスドラム１０に対するペダル装置Ｐの位置を自由に調節することができる。
【００５７】
（８）リテーナ３０は、ベース３３に対し着脱可能に組み付けられている。この構成によれば、リテーナ３０を、ペダル接続部材２２と共にベース３３から取り外すことができる。これにより、バスドラム１０の打面ヘッド１５付近をリフトアップしないで、バスドラム１０のフープ１２等にペダル装置Ｐを連結することもできる。よって、バスドラム１０のサイズや演奏者の好みに応じて、バスドラム用リフター２０の使い方のバリエーションを広げることができる。
【００５８】
なお、本実施形態は、以下のように変更してもよい。
・本実施形態において、長ねじ２５の軸線周りにペダル接続部材２２を回動させて折り畳むようにしたバスドラム用リフター２０を説明したが、これ以外に、図６に示すようなバスドラム用リフター６０を採用してもよい。図６に示すように、バスドラム用リフター６０は、リフター本体６１と、リフター本体６１上にベース６２と、ナット付プレート６３及び緩衝プレート６４とを備えている。リフター本体６１は、図１に示すバスドラム用リフター２０を構成するペダル接続部材２２とリテーナ３０とを一体形成したものである。図６に示すバスドラム用リフター６０は、バスドラム１０の打面ヘッド１５付近をリフトアップする量が小さい場合に適している。
【００５９】
・本実施形態において、リテーナ３０の両連結片３１をリフトアップ部２６の両連結片２９間に配置した状態で、長ねじ２５を両連結片３１，２９の孔２９ａ，３１ａに貫通させたが、リテーナ３０の両連結片３１とリフトアップ部２６の両連結片２９との位置関係を逆にしてもよい。即ち、図７に示すように、リフトアップ部７６の両連結片７９をリテーナ７０の両連結片７１間に配置した状態で、長ねじ２５を両連結片７９，７１の各孔に貫通させてもよい。この場合、リテーナ７０の裏面にリフトアップ部７６の端面７６ａを当接させることで、ペダル接続部材７２の回動を規制するようにしてもよい。
【００６０】
・本実施形態において、長ねじ２５を、シェル１１の軸線方向においてフープ１２と重なる位置に配置したが、シェル１１近傍であって打面ヘッド１５近傍であれば、フープ１２から前方又は後方に離れた位置に配置してもよい。
【００６１】
・本実施形態において、ペダル接続部材２２の端面２２ａを、ペダル装置Ｐに面するフープ１２の端面１２ａと同一面上に配置したが、フープ１２の端面１２ａから前方又は後方に離れた位置に配置してもよい。
【００６２】
・本実施形態において、ペダル接続部材２２から突出部２８を省略してもよい。
・本実施形態において、突出部２８から切欠２８ａを省略してもよい。
・本実施形態において、ベース３３をリテーナ３０の長孔３０ａに沿って摺動させるようにしたが、長孔３０ａに代えて、複数の取付孔をリテーナ３０に形成してもよい。例えば、複数の取付孔を、リテーナ３０の長手方向に沿って等間隔に配置してもよい。この構成によれば、演奏者は、ベース３３に対するリテーナ３０の取付位置を変更することで、バスドラム１０に対するペダル装置Ｐの位置を段階的に調節することができる。
【００６３】
・本実施形態において、ベース３３をリテーナ３０上に固定してもよい。つまり、バスドラム１０に対するペダル装置Ｐの位置を調節するための機能を、バスドラム用リフター２０から省略してもよい。
【００６４】
・本実施形態において、リテーナ３０をベース３３に対し着脱可能とするための機能を、バスドラム用リフター２０から省略してもよい。
・本実施形態において、ペダル接続部材２２とドラム接続部材２３とを回動可能に連結するための軸として機能するのであれば、長ねじ２５に代えて、ネジ未加工品としての軸を用いてもよい。
【符号の説明】
【００６５】
Ｐ…ペダル装置、１０…バスドラム、１１…シェル、１２…フープ、１２ａ…端面、１５…打面ヘッド、２０…バスドラム用リフター、２２…ペダル接続部材、２３…ドラム接続部材、２５…長ねじ（軸）、２６…リフトアップ部、２７…ペダル接続部、２８…突出部、２８ａ…切欠、３０…リテーナ、３３…ベース、４５…回動規制手段。
【図１】
2014071196.tif 000003
【図２】
2014071196.tif 000004
【図３】
2014071196.tif 000005
【図４】
2014071196.tif 000006
【図５】
2014071196.tif 000007
【図６】
2014071196.tif 000008
【図７】
2014071196.tif 000009
【図８】
2014071196.tif 000010
【図９】
2014071196.tif 000011